(57)【要約】      （修正有）【課題】開封前にあっては強度を持ち、開封時にあっては埃等の内部への落下を防止し、容器ごと中仕切を取り出して展示用に用いる場合の便宜も図られた包装用箱の提供。【解決手段】中仕切Ｙを装脱可能に内装する直方体状を呈し、封止片５端部と封止片５中央部を分ける分離切込線ａ、及びその上端に続き上面と側面とを略分ける開封切込線ｂの破断で離脱する再閉鎖可能な蓋を備え、開封切込線ｂは、上面の側縁に沿う縦切込線、及び当該縦切込線の前方又は後方の端に続き上面におけるその端方向の角部を横切ってその端方向の端縁に連なる短絡切込線を備え、側面の上縁に前記開封切込線ｂの下方を覆うフラップ１２を備え、フラップ１２は、側面の上縁における短絡切込線が横切る側の端から縦切込線と短絡切込線との交点の位置に至る縦切込ｃ、及び前記交点の位置からフラップ１２の幅方向へ進入した横切込ｄを備える包装用箱。【選択図】図１
2014058328.tif 000002
【特許請求の範囲】
【請求項１】
上面、背面、底面、前面、及び側面、並びに前記上面の前縁から延び前記前面に定着する封止片を備え、
前記封止片端部の接着部と当該封止片中央部の非接着部を分ける分離切込線、及び当該分離切込線の上端に続き前記上面と側面とを略分ける開封切込線の破断を以って離脱する再閉鎖可能な蓋を備え、
且つ容器を保持する中仕切を装脱可能に支持内装する直方体状の包装用箱であって、
前記開封切込線は、前記上面の側縁に沿う縦切込線、及び当該縦切込線の前方又は後方の端に続き前記上面におけるその端方向の角部を横切ってその端方向の端縁に連なる短絡切込線を備え、
前記側面の上縁から延び前記開封切込線の下方を覆うフラップを備え、
前記フラップは、前記側面の上縁における短絡切込線が横切る側の端から当該縦切込線と短絡切込線との交点の位置に至る縦切込、及び前記交点の位置からフラップの幅方向へ進入した横切込を備えることを特徴とする包装用箱。
【請求項２】
前記側面は、前記前面及び背面の左右側縁から延びる横支え側面、底面の左右側縁から延びる左右起立側面、並びに前記上面の左右側縁から延びる左右垂下側面を内側から順に重ね合わせて構成され、
前記垂下側面に、前記側面上縁の前記縦切込線と短絡切込線との交点から最寄りの前記縦切込の範囲で上位角部を横切る誘導切込線を備えることを特徴とする前記請求項１に記載の包装用箱。
【発明の詳細な説明】
【技術分野】
【０００１】
本発明は、ガラス製の容器などを収容する包装用箱に関する。
【背景技術】
【０００２】
従来、割れやすい物を相互に干渉することなく安定して収容するために、中仕切を内装し、更に、当該中仕切の底板の下に干渉空間を形成した容器が紹介されている（例えば、下記特許文献１参照。）。
【０００３】
この様な包装用箱は、比較的重い容器の動揺に上蓋の封鎖状態が確実に維持できる様に、上蓋の四方周縁が固定され、開封の際は、包装用箱の前面に固定した摘み片を引き上げて上蓋側縁の開封用切込線を破断する構造が採られる場合が少なくない。
【０００４】
また、容器ごと中仕切を取り出して展示用に用いる場合や、開封後に再び閉鎖して残った容器を保管するために用いられる場合も多いために、前記の如く開封した後に、前記摘み片を前面の切込に挿し入れることによって、いったん開封した上開口部を前記上蓋で再び閉じ得る構造が与えられている場合もある（例えば、下記特許文献２又は特許文献３参照。）。
【先行技術文献】
【特許文献】
【０００５】
【特許文献１】特開平１０−２９１５２２号公報
【特許文献２】特開２００６−３１２４９１号公報
【特許文献３】特開２０１２−４１０８２号公報
【発明の概要】
【発明が解決しようとする課題】
【０００６】
しかしながら、前記の如く上面側縁の開封切込線を破断して開封するタイプの包装用箱は、破断の際、容器の微小な破砕片や埃（以下、埃等と記す。）が包装用箱内に落ち、衛生上問題がある一方、開封切込線の下位に埃等が包装用箱内部への落下を妨げるフラップを付すと、包装用箱の内部から中仕切を取り出す際の便宜に欠けるものとなる。
【０００７】
本発明は、上記実情に鑑みて為されたものであって、開封前にあっては、ガラス容器を確実に包装用箱に保持し得る強度を持ち、開封時にあっては、埃等の内部への落下を防止し、容器ごと中仕切を取り出して展示用に用いる場合の便宜も図られた包装用箱の提供を目的とする。
【課題を解決するための手段】
【０００８】
上記課題を解決するためになされた本発明による包装用箱は、上面、背面、底面、前面、及び側面、並びに前記上面の前縁から延び前記前面に定着する封止片を備え、前記封止片端部における前面との接着部と当該封止片中央部における前面との非接着部を分ける分離切込線、及び当該分離切込線の上端に続き前記上面と側面とを略分ける開封切込線の破断を以って離脱する再閉鎖可能な蓋を備え、且つ容器を保持する中仕切を装脱可能に支持内装する直方体状の包装用箱であって、前記開封切込線は、前記上面の側縁に沿う縦切込線、及び当該縦切込線の前方又は後方の端に続き前記上面におけるその端方向（即ち、前記縦切込線の前（後）方の端部であれば前（後）方向である。以下、同じ。）の角部を横切ってその端方向の端縁に連なる短絡切込線を備え、前記側面の上縁から延び前記開封切込線の下方を覆うフラップを備え、前記フラップは、前記側面の上縁における短絡切込線が横切る側の端から当該縦切込線と短絡切込線との交点の位置に至る縦切込、及び前記交点の位置からフラップの幅方向へ進入した横切込を備えることを特徴とする。
【０００９】
前記側面を、前記前面及び背面の左右側縁から延びる横支え側面、底面の左右側縁から延びる左右起立側面、並びに前記上面の左右側縁から延びる左右垂下側面を内側から順に重ね合わせて構成した場合にあっては、前記垂下側面に、前記側面上縁の前記縦切込線と短絡切込線との交点から最寄りの前記縦切込の範囲で上位角部を横切る誘導切込線を備える構造を採用する場合もある。ここで、最寄りの前記縦切込の範囲とは、当該誘導切込線と起点（交点）を共有する短絡切込線の範囲と等しい奥行範囲を指す。
【発明の効果】
【００１０】
以上の如く本発明による包装用箱によれば、開封前にあっては、蓋や上面がその全周囲に亘って固定されることによって、ガラス容器を確実に包装用箱に保持し得る強度が確保され、開封時にあっては、切込線の破断にあっても、フラップの存在により、埃等の包装用箱内部への落下が防止され、汚染防止に寄与する。
【００１１】
また、フラップに設けた縦横切込と短絡切込線の存在により、開封後の補強として角部に角筋交を残した場合にあっても、中仕切の装脱の障害となるフラップを容易に側方へ退避させることが出来る。加えて、側方へ退避したフラップの変形状態からの速やかな復帰により、フラップの前部と角筋交が掛かり合うことができ、フラップを容器の開口部から側方へずれた状態で保持することができる作用を奏する結果、容器ごと中仕切を取り出す作業も比較的容易となる。更に、誘導切込線の存在によって、側面を展開しやすくなり、廃棄時における展開・偏平化の便宜となる。
【図面の簡単な説明】
【００１２】
【図１】本発明による包装用箱に対し中仕切りを装脱する際の状態を示す側面図及び正面図である。
【図２】本発明による包装用箱に対し中仕切を装脱する際の状態を示す平面図及び要部拡大図である。
【図３】本発明による包装用箱に対し中仕切を装脱する際のフラップと角筋違との関連状態の一例を示す前方から見た要部拡大図である。
【図４】本発明による包装用箱のブランクシートの一例を示す（Ａ）：背面図、（Ｂ）：平面図、（Ｃ）：側面図、（Ｄ）：正面図である。
【図５】本発明による包装用箱の一例を示す（Ａ）：平面図、（Ｂ）：正面図（開封前）、（Ｃ）：側面図（開封前）、（Ｄ）：正面図（再閉鎖後）、（Ｅ）：底面図、（Ｆ）：背面図である。
【図６】本発明による包装用箱の廃棄する際の変形状態を示す側方及び正面から見た要部拡大図である。
【図７】本発明による包装用箱の廃棄する際の展開状態を示す平面図である。
【図８】本発明による包装用箱に装填する中仕切の一例を示す（Ａ）：正面図、（Ｂ）：左側面図、（Ｃ）：右側面図、（Ｄ）：平面図、（Ｅ）：背面図、（Ｆ）：底面図である。
【図９】本発明による包装用箱に装填する中仕切のブランクシートの一例を示す平面図である。
【発明を実施するための形態】
【００１３】
以下、本発明による包装用箱の実施の形態を図面に基づき説明する。
この包装用箱Ｘは、容器（図示省略）を保持する中仕切Ｙを装脱可能に支持内装する直方体状の包装用箱である。前記直方体の高さは、容器を保持した中仕切Ｙを装填し、その上に添付文書をクッションとして封入することによって、前記容器が上下左右に揺動しない高さとする。
【００１４】
＜包装用箱について＞
図５に示す例は、上面１、背面２、底面３及び前面４を略均等幅の一連の帯状に備え、更に、上面１の前縁から延びる封止片５、上面１の左右側縁から延びる左右垂下側面６、前面４及び背面２の左右側縁から延びる横支え側面７、並びに底面３の左右側縁から延びる左右起立側面８を備える（図４展開図参照）。
【００１５】
前記上面１、背面２、底面３及び前面４を方形断面の筒状に折り曲げて成形し、前記封止片５の左右端部のみを前記前面４に糊づけすると共に、包装用箱Ｘの内側から前記横支え側面７、起立側面８、垂下側面６の順で重ね合わせ糊づけし、当該包装用箱Ｘの側面を形成することによって六面が閉じた直方体状の包装用箱を形作る。尚、この例では、前記起立側面８に縦横に並んだ貫通孔９を適宜付設することによって、前記垂下側面６と横支え側面７との直接的な糊付けを実現する措置が施してある。
【００１６】
＜切込線について＞
この包装用箱Ｘは、前記前面に定着した封止片５の糊づけされている左右端部と糊付けされていない中央部との境界に、ノコギリ刃状のミシン目からなる分離切込線ａをＶ字状に一対対照的に備え、当該一対の分離切込線ａ，ａの先端に続いて、当該封止片５の前縁からその外縁が一段突出した摘み片１０を備える。
【００１７】
更に、前記封止片５と連なる上面１は、前記分離切込線ａ，ａに続いて開封切込線ｂ，ｂを左右対照に備える。当該開封切込線ｂ，ｂは、上面１の側縁に沿って後端に至る縦切込線ｂ１と、前記分離切込線ａの上端から上面１における前方角部を斜めに横切って前記縦切込線ｂ１の前端に連なる短絡切込線ｂ２を備える。
【００１８】
この包装用箱Ｘは、前記分離切込線ａ及びそれに続く上面１両側縁部の開封切込線ｂの破断で離脱する蓋１１を備え、前記短絡切込線ｂ２と上面１の前方隅角に囲まれた上面の残余部分は、開口部を補強する角筋交１ａとなる。
【００１９】
前記前面１は、前記摘み片１０が十分挿し入れられるだけの円弧状の切込４ａを、当該前面１の中央部であって前記摘み片１０の中間部又は基部が離脱する前に位置した箇所に、上に凸となる向きで備え、当該切込４ａに、前記摘み片１０を差し込むことによって、前記蓋１１が再閉鎖可能となる構造を備える。尚、前記切込４ａの上端部に、当該切込４ａの円弧より小さい円弧状の補助切込４ｂを入れ、両切込４ａ，４ｂに囲まれた窓孔４ｃを備えることによって、前記摘み片１０を差し込む際の便宜となる構造も与えることができる。
【００２０】
＜フラップについて＞
この包装用箱Ｘは、前記底板３の側縁から延びる前記起立側面８の上縁に続いて延び前記開封切込線ｂの下方を覆うフラップ１２を前記上面１の奥行きの全域に備える。この例におけるフラップ１２は、その前端から前記縦切込線ｂ１と短絡切込線ｂ２との交点に至る縦切込ｃ、及びそれに直交してフラップ１２の内側に進入する横切込ｄを備える。
【００２１】
＜中仕切について＞
この包装用箱Ｘに装填する中仕切Ｙは、当該包装用箱Ｘの内面に水平方向への移動が規制される寸法とされ、略同じ幅の、背面板２０、上仕切板２１、正面板２２、底板２３、内背面板２４、下仕切板２５、内正面板２６、台板２７、及び突っ張り板２８を、一列に連ねた一枚の帯状ブランクシートから組み立てられる（図９参照）。
【００２２】
即ち、前記中仕切Ｙは、当該ブランクシートを、内側から外側へ突っ張り板２８から順に方形断面の渦巻状を形作る様に折り曲げ成形したものであって、前記上仕切板２１、底板２３、下仕切板２５、及び台板２７は、包装用箱Ｘの内部奥行と略等しい寸法の奥行きであることから、前記背面板２０と内背面板２４、前記正面板２２と内正面板２６は相互に接し、糊づけによって、偏平に折り畳み可能、及び立体的にポップアップ可能となる様に保形される。
【００２３】
尚、当該例では、当該中仕切Ｙを構成する各板部の境界に沿って直線的な脆弱線（図示省略）を備える。ここで、脆弱線とは、断続的な貫通切込、断続的又は連続的を問わない非貫通切込や薄肉線等、折り曲がり易くなる様な加工を施した線である。当該例では、断続的な非貫通切込を折り曲げの際の山側に施してある。
【００２４】
この例における前記底板２３は、その中央部にＵ字状の切込２３ａを当該中仕切Ｙの展開折り畳み方向（中仕切Ｙが潰れ、又はポップアップする際に歪む方向）へ向けて単数又は複数備え（以下、この切込２３ａによって区画される部分を舌片２９と記す。）、前記偏平な折り畳み状態において当該切込２３ａの先部を前記台板２７の裏面に糊づけし、且つ当該切込２３ａの基部、及びそこからポップアップ状態における前記底板２３と台板２７間のクリアランスと同寸法の位置に、前記展開方向と直交する直線的な折り目２３ｂ，２３ｃを備える（それに沿って脆弱部を設けても良い。）。これによって、前記舌部２９は、ポップアップ時に当該底板２３の面から速やかに離脱し前記台板の２７の高さを維持する下支えとなる（図８参照）。
【００２５】
また、この例における上仕切板２１及び下仕切板２５は、支持する容器の横断面形状に合わせた支持孔２１ａ，２５ａを、支持した容器が相互に干渉し合わない間隔で、各仕切板２１，２５について各々複数行×複数列（当該例では２行×５列）ポップアップ状態で上下一対が相互に向き合う配置で備える。前記下支えの存在によって、支持する容器の数が増加し、前記台板２７の面積が広くなった場合であっても、当該台板２７の耐荷重を高める為の補強と、偏平状態に折り畳んでの運搬と、包装用箱Ｘに装填する際の速やかな立体化に寄与することとなる。
更に、前記底板２３を、包装用箱Ｘの底面３の内側に接着しておけば、包装用箱Ｘの組み立てと同時に、当該中仕切Ｙが組み上がり、包装用箱Ｘの組み立て後に中仕切Ｙを装填する手間が省けることにもなる。
【００２６】
＜中仕切の装脱並びにフラップ及び角筋交の作用について＞
当該例では、包装用箱Ｘを組み立てた後における中仕切Ｙの装脱の際に、前記角筋交１ａとの干渉を回避すべく、前記上仕切板２１、下仕切板２５、台板２７及び底板２３の前方角部に、それぞれ前記角筋交１ａの上方からの投影領域と略同形状の面取りを施した切欠部を各々備える。
【００２７】
上記の如く切欠部を設けたとしても、前記角筋交１ａの下位において当該包装用箱Ｘの内側へ突出して平伏している前記フラップ１２の存在が問題であり、包装用箱Ｘを組み立てた後における中仕切Ｙの装脱の際に、前記フラップ１２を、包装用箱Ｘの側方へ離脱するまで引き出して、中仕切Ｙとの干渉を回避したいという要請もある。
【００２８】
本発明による包装用箱では、前記縦切込ｃ及び横切込ｄの存在により、前記角筋交１ａとの干渉に応じて前記フラップ１２の干渉箇所に比較的大きな変形が許容される結果、比較的容易に角筋交１ａを回避できるのみならず、相互干渉が解除された際のスナップ的な復帰等も伴って、当該フラップ１２の引出し回避後に、前記縦切込ｃの切り口が回避した角筋交１ａの表面又は側面上方に掛かることによって、中仕切Ｙをフラップ１２に邪魔されることなく比較的容易に装脱できることとなる（図３参照）。
【００２９】
上記作用効果を得るには、前記蓋１１が離脱した後に前記角筋交１ａを形成する（前後角部の何れに形成しても良く、当該角筋交の位置に合わせて、フラップ１２の縦切込ｃ及び横切込ｄ並びに後記誘導切込線ｆの位置を決める。）上面１の形態と、前記フラップ１２を前記角筋交１ａ及び開封切込線ｂの下位に位置せしめ埃等の包装用箱内部への落下を防止させ得るブランクシートの形態、及び必要十分な変形を与えて当該角筋交１ａを回避するための縦切込ｃ及び横切込ｄを備えたフラップ１２の形態の機能的一体性が最低限必要となる。
【００３０】
＜廃棄時の便宜について＞
この例の包装用箱Ｘのブランクシートは、前記前面４、底面３及び背面２の左右側縁に、その高さ又は奥行全体に亘る直線的な前記脆弱線ｅを備えている（図４参照）。
また、前記垂下側面６の前方上端部は、糊付けがなされていない非接着部を備えており、当該前方上端部は、前記短絡切込線ｂ２と縦切込線ｂ１との交点から、前方に下がる形で横切る誘導切込線ｆを備えている。
【００３１】
上記構造の下、左右垂下側面６の上位又は左右起立側面８若しくはそれに続くフラップ１２等を摘まんで側方に引き広げれば、前記誘導切込線ｆの上端から当該誘導切込線ｆに沿って破断が広がる（図６（Ａ）（Ｂ）参照）。その結果、例えば、フラップ１２だけが引き千切れることもなく、左右横支え側面７と前面４及び背面２との境界に備える前記脆弱線ｅに破断が波及するなどして速やかな解体・偏平化が可能となり、廃棄の際に束ねることが容易となる。
【００３２】
尚、前記開封切込線ｂは、前記分離切込線ａの上端から縦切込線ｂ１に連なり、当該縦切込線ｂ１の後端から上面１における後方角部を斜めに横切って当該上面１の後端縁に至る短絡切込線ｂ２を備える構造を採っても良いし、上面１の側縁中央部に縦切込線ｂ１を配置し、その両端を各々起点として前記上面１の前後双方の角部を横切る短絡切込部ｂ２，ｂ２を備える構成を採っても良い。その際、短絡切込線ｂ２と上面１の前後隅角に囲まれた上面の残余部分は、各々開口部を補強する角筋交１ａとなる。
【００３３】
その際、フラップ１２は、その後端、又は前端及び後端の双方から前記縦切込線ｂ１と短絡切込線ｂ２との交点に至る縦切込ｃ、及びそれに直交してフラップ１２の内側に進入する横切込ｄを備えることとなる。
また、中仕切Ｙについても、前記上仕切板２１、下仕切板２５、台板２７及び底板２３の後方角部、又は前後双方の角部に、それぞれ前記角筋交１ａの上方からの投影領域と略同形状の面取りを施した切欠部を各々備えることとなる。
【００３４】
また、前記垂下側面６にあっては、後方又は前後双方の上端部に、糊付けがなされていない非接着部を設け、各々について、前記短絡切込線ｂ２と縦切込線ｂ１との交点から、後方又は前後双方に下がる形で横切る誘導切込線ｆを備えた構成を適宜採用する。
【符号の説明】
【００３５】
Ｘ  包装用箱， 
ａ  分離切込線，ｂ  開封切込線，ｂ１  縦切込線，ｂ２  短絡切込線，
ｃ  縦切込，ｄ  横切込，ｅ  脆弱線，ｆ  誘導切込線，
１  上面，１ａ  角筋交，
２  背面，３  底面，
４  前面，４ａ  切込，４ｂ  補助切込，４ｃ  窓孔，
５  封止片，
６  垂下側面，７  横支え側面，８  起立側面，９  貫通孔，
１０  摘み片，１１  蓋，１２  フラップ，
Ｙ  中仕切，
２０  背面板，
２１  上仕切板，２１ａ  支持孔，
２２  正面板，
２３  底板，２３ａ  切込，２３ｂ  折り目，２３ｃ  折り目，
２４  内背面板，
２５  下仕切板，２５ａ  支持孔，２６  内正面板，２７  台板，２８  突っ張り板，
２９  舌片，
【図１】
2014058328.tif 000003
【図２】
2014058328.tif 000004
【図３】
2014058328.tif 000005
【図４】
2014058328.tif 000006
【図５】
2014058328.tif 000007
【図６】
2014058328.tif 000008
【図７】
2014058328.tif 000009
【図８】
2014058328.tif 000010
【図９】
2014058328.tif 000011